(57)【要約】  【課題】  カーテンの上縁にヒダ部をとることなく、平滑のまま縫い付けできるカーテン吊り具を提供する。  【解決手段】  カーテンＣに縫い付けられる本体２と、この本体２に結合されカーテンランナに掛け止められるフック３体とを具備させてカーテン吊り具１を構成する。本体２は、弾性合成樹脂で一体に構成し、カーテンＣに縫い付けられる縫い付け板部４と、これにヒンジ部５を介して折り重ね及び伸展自在に連続する支持部６とを具備させる。フック体３は支持部６に固定的または位置変更可能に結合する。縫い付け板部４は、縫い付け状態でカーテンＣに接合される第１の面４ａとその反対側の第２の面４ｂとを持つように構成し、第２の面側４ｂに支持部６を折り重ねた状態でこれに弾性的に係合する係合部７を具備させる。【選択図】  図１
2005329032.tif 000002
【特許請求の範囲】
【請求項１】
カーテンに縫い付けられる本体と、この本体に結合されカーテンランナに掛け止められるフック体とを具備し、
前記本体は、弾性合成樹脂で一体に構成され、カーテンに縫い付けられる縫い付け板部と、前記フック体が結合される支持部とを具備し、
前記縫い付け板部は、縫い付け状態でカーテンに接合される第１の面とその反対側の第２の面とを有し、
前記支持部は、少なくともカーテンへの装着状態において前記縫い付け板部の第２の面側に配置されることを特徴とするカーテン吊り具。
【請求項２】
前記本体の支持部が、前記縫い付け板部の第２の面側に固定的に設けられることを特徴とする請求項１に記載のカーテン吊り具。
【請求項３】
前記本体の支持部が、前記縫い付け板部にヒンジ部を介して折り重ね及び伸展自在に連続し、
前記縫い付け板部は、縫い付け状態でカーテンに接合される第１の面とその反対側の第２の面とを有し、かつ第２の面側に前記支持部を折り重ねた状態で前記支持部に弾性的に係合する係合部を具備することを特徴とするカーテン吊り具。
【請求項４】
前記フック体が、前記本体に対して上下方向の位置を変更可能に結合されることを特徴とする請求項１ないし３のいずれかに記載のカーテン吊り具。
【請求項５】
前記フック体が、前記本体に対して固定的に結合されることを特徴とする請求項１ないし３のいずれかに記載のカーテン吊り具。
【請求項６】
前記縫い付け板部が、上下方向に伸びる短冊状の薄板からなり、縦方向の一辺に前記ヒンジ部を介して前記支持部が連続し、縦方向の他の一辺に沿って前記係合部が設けられることを特徴とする請求項３に記載のカーテン吊り具。
【請求項７】
前記支持部が、一辺において前記ヒンジ部を介して前記縫い付け板部に連続する重合板部と、前記フック体を結合するためのラチェット係合部とを具備し、
前記重合板部は、前記縫い付け板部への折り重ね状態において縫い付け板部の第２の面に接合される平滑な重合面を有し、
前記ラチェット係合部は、前記重合板部の重合面と反対側に上下方向に伸びるように設けられ、
前記フック体が前記ラチェット係合部に下方向へのみ移動可能に結合されることを特徴とする請求項６に記載のカーテン吊り具。
【請求項８】
前記縫い付け板部が、上下方向に伸びる短冊状の薄板からなり、
前記支持部が、前記フック体を結合するためのラチェット係合部を具備し、
前記ラチェット係合部は、前記縫い付け板部の第２の面側の左右方向中央に上下方向に伸びるように設けられ、
前記フック体が前記ラチェット係合部に下方向へのみ移動可能に結合されることを特徴とする請求項２に記載のカーテン吊り具。
【発明の詳細な説明】
【技術分野】
【０００１】
この発明は、カーテンの上縁にヒダ部を形成することなく平滑のまま取り付けられる合成樹脂製で、縫い付けタイプのカーテン吊り具に関する。
【背景技術】
【０００２】
従来の合成樹脂製の縫い付けタイプのカーテン吊り具は、薄板状の縫い付け板部の縦方向の一辺に沿ってラチェット係合部が設けられた本体と、ラチェット係合部に係合するフック体とを備えるものである（例えば特許文献１参照）。本体は、縫い付け板部をカーテンの上縁部に形成されたヒダ部に挟んでヒダ部と共に縫い付けられる。
ところで、近年特にカーテンの吊り方に多様性が求められており、従来のようにカーテンの上縁にヒダ部をとらないカーテンの需要がある。このようなカーテンには、平滑のまま縫い付けできるカーテン吊り具が望まれている。
【特許文献１】特開昭５７−１４８９１３号公報
【発明の開示】
【発明が解決しようとする課題】
【０００３】
この発明は、カーテンの上縁にヒダ部をとることなく、平滑のまま縫い付けできるカーテン吊り具を提供することを課題としている。
【課題を解決するための手段】
【０００４】
この発明においては、上記課題を解決するため、カーテンＣに縫い付けられる本体２と、この本体２に結合されカーテンランナに掛け止められるフック体３とを具備させてカーテン吊り具１を構成する。本体２は、弾性合成樹脂で一体に構成し、カーテンＣに縫い付けられる縫い付け板部４と、この縫い付け板部４にヒンジ部５を介して折り重ね及び伸展自在に連続する支持部６とを具備させる。フック体３は支持部６に固定的または位置変更可能に結合する。縫い付け板部４は、縫い付け状態でカーテンＣに接合される第１の面４ａとその反対側の第２の面４ｂとを持つように構成し、第２の面４ｂ側に支持部６を折り重ねた状態で支持部６に弾性的に係合する係合部７を具備させる。
【発明の効果】
【０００５】
縫い付け板部の平滑な第１の面４ａをカーテンＣの上縁部に接合し、ヒダ部をとることなく、平滑のままカーテンに縫い付けることができる。ヒンジ部５を介して支持部６を縫い付け板部４に折り重ね、係合部７に係合させれば、フック体３を正面に向けることができる。
【発明を実施するための最良の形態】
【０００６】
図面を参照してこの発明の実施の形態を説明する。図１はカーテン吊り具の装着状態の斜視図、図２はカーテン吊り具の伸展状態の側面図、図３はカーテン吊り具の伸展状態の平面図、図４はカーテン吊り具の折り重ね状態の側面図、図４はカーテン吊り具の折り重ね状態の平面図である。
【０００７】
カーテン吊り具１は、カーテンCに縫い付けられる本体２と、この本体２に結合されるフック体３とを具備する。フック体３はカーテンランナに掛け止められる。フック体３は、本体２に対して固定されていても、また固定位置を変更可能であってもよい。
【０００８】
本体２は、弾性合成樹脂で一体に構成され、カーテンCに縫い付けられる縫い付け板部４と、この縫い付け板部４にヒンジ部５を介して折り重ね及び伸展自在に連続する支持部６とを具備する。支持部６にフック体３が結合される。
【０００９】
縫い付け板部４は、上下方向に長い短冊状の薄板からなり、縫い付け状態でカーテンCに接合される第１の面４ａとその反対側の第２の面４ｂとを有する。  縫い付け板部４の縦方向の一辺には、ヒンジ部５を介して支持部６が連続する。縦方向の他の一辺側には、第２の面４ｂ側に支持部６を折り重ねた状態で支持部６の側縁に弾性的に係合する係合部７を具備する。
【００１０】
支持部６は、縦方向の一辺においてヒンジ部５を介して縫い付け板部４に連続する重合板部８と、フック体３を結合するためのラチェット係合部９とを具備する。重合板部８は、縫い付け板部４への折り重ね状態において縫い付け板部４の第２の面４ｂに接合される平滑な重合面８ａを有する。ラチェット係合部９は、重合板部８の重合面８ａと反対側に上下方向に伸びるように設けられる。
【００１１】
フック体３は、フック部１０と抱持部１１とを有する。抱持部１１は、本体２のラチェット係合部９に対して、下方向へのみ移動可能に係合される。
【００１２】
縫い付け板部４の平滑な第１の面４ａをカーテンＣの上縁部に接合し、ヒダ部をとることなく、平滑のままカーテンに縫い付ける。縫い付けた後、ヒンジ部５を介して支持部６を縫い付け板部４に折り重ね、係合部７に係合させれば、フック体３が正面に向く。
なお、縫い付け板部４と支持部６とは、上辺または下辺においてヒンジ部を介して連続する構成であってよい。
【００１３】
図６ないし図８に他の実施形態を示す。同図において先の実施形態と同等の構成部には同一の符号を付して説明を省略する。この実施形態においては、本体２の支持部６が、縫い付け板部４の第２の面４ｂ側に固定的に設けられる。縫い付け板部４は、上下方向に伸びる短冊状の薄板からなり、支持部６は、フック体３を結合するためのラチェット係合部９を具備する。ラチェット係合部９は、縫い付け板部４の第２の面４ｂ側の左右方向中央に上下方向に伸びるように設けられ、フック体３がラチェット係合部９に下方向へのみ移動可能に結合される。なお、フック体３を縫い付け板部４に固定的に設けることもできる。
【産業上の利用可能性】
【００１４】
この発明は、カーテンの上縁にヒダを形成せずに平滑に吊る縫い付けタイプのカーテン吊り具として適用できる。
【図面の簡単な説明】
【００１５】
【図１】カーテン吊り具の装着状態の斜視図である。
【図２】カーテン吊り具の伸展状態の側面図である。
【図３】カーテン吊り具の伸展状態の平面図である。
【図４】カーテン吊り具の折り重ね状態の側面図である。
【図５】カーテン吊り具の折り重ね状態の平面図である。
【図６】他の実施形態のカーテン吊り具の装着状態の斜視図である。
【図７】他の実施形態のカーテン吊り具本体の伸展状態の正面図である。
【図８】他の実施形態のカーテン吊り具本体の平面図である。
【符号の説明】
【００１６】
１：  カーテン吊り具
２：  本体
３：  フック体
４：  縫い付け板部
４ａ：  第１の面
４ｂ：  第２の面
５：  ヒンジ部
６：  支持部
７：  係合部
８：  重合板部
８ａ：  重合面
９：  ラチェット係合部
１０：  フック部
１１：  抱持部
Ｃ：  カーテン
【図１】
2005329032.tif 000003
【図２】
2005329032.tif 000004
【図３】
2005329032.tif 000005
【図４】
2005329032.tif 000006
【図５】
2005329032.tif 000007
【図６】
2005329032.tif 000008
【図７】
2005329032.tif 000009
【図８】
2005329032.tif 000010